(57)【要約】無線通信システムにて使用される、呼設定後のトグリングサービスオプションのための方法および装置を開示する。基地局（３０，３２）またはシステムインフラストラクチャの一部によって優先されるサービスオプションを、サービスを要求する移動局（２６）のサービスオプション能力と比較する。移動局（２６）が基地局（３０，３２）優先サービス選択を収容可能である場合は、サービス接続メッセージ（６４）が移動局（２６）へ送信されて、サービスオプションのトグルが開始される。
2005504447.tif 000002
【特許請求の範囲】
【請求項１】
移動局との無線通信において使用される、サービスオプションに対して最適化された基地局制御を備えた移動通信システムであって、
少なくとも１個の無線通信チャネルを介して移動局と交信する基地局内において、少なくとも１個の基地局優先サービスオプション（Ｂａｓｅ Ｓｔａｔｉｏｎ Ｐｒｅｆｅｒｒｅｄ Ｓｅｒｖｉｃｅ Ｏｐｔｉｏｎ ）を格納する記憶装置と、
移動局からの要求を受信して移動体優先サービスオプション（Ｍｏｂｉｌｅ  Ｐｒｅｆｅｒｒｅｄ   Ｓｅｒｖｉｃｅ   Ｏｐｔｉｏｎ）を設定するデータ収集デバイスと、該データ収集デバイスは、移動局からのサービスオプション能力データを受信することと、
基地局と関連する情報プロセッサと、
前記プロセッサと関連し、少なくとも１個の無線通信チャネルが確立する際に、移動体優先サービスオプションを実行し、かつ記憶装置内の基地局優先サービスオプションをデータ収集デバイス内のサービスオプション能力データと比較して、前記少なくとも１個の無線通信チャネルが確立された後に、移動局の基地局優先サービスオプションを実行する能力を評価する呼設定ソフトウエアと、を備える移動通信システム。
【請求項２】
請求項１に記載のシステムであって、前記基地局優先サービスオプションと前記移動体優先サービスオプションとが異なり、
前記情報プロセッサに応答して基地局から移動局へサービス接続メッセージを送信して、基地局優先サービスオプションに従ったサービスを開始させて、サービスオプション割当てをトグリングするための、データベースを備える移動通信システム。
【請求項３】
無線通信システムにおいてサービスオプション割当てをトグリングする方法であって、
基地局内に少なくとも１個の基地局優先サービスオプションを格納する工程と、
移動局からの要求を基地局内で受信して、移動体優先サービスオプションを設定する工程と、
移動局からのサービスオプション能力データを基地局へ伝送する工程と、
移動体優先サービスオプションを実行する無線通信チャネルを介して、基地局と移動局との間で無線通信を確立する工程と、
基地局内で、移動体優先サービスオプションを基地局優先サービスオプションと比較する工程と、
基地局において、確立された無線通信チャネルにおいて通信が行なわれている間、移動局の基地局優先サービスオプションに従ったサービスを行なう能力を検証する工程と、からなる方法。
【請求項４】
請求項３に記載の方法であって、
基地局から移動局へサービス接続メッセージを送信して、基地局優先サービスオプションに従ったサービスを開始させる工程と、
基地局において、移動局からの、基地局優先サービスオプションに従ったサービス接続が完了したことを示す応答メッセージを受信する工程と、その後、基地局と移動局とは、基地局優先サービスオプションを実行するサービスオプション割当てのトグリングに従って互いに交信することと、からなる方法。
【請求項５】
請求項３に記載の方法であって、基地局から、サービスオプション割当てのトグリングの通知をインフラストラクチャの残りの部分へ伝送する工程からなる方法。
【請求項６】
請求項３に記載の方法であって、基地局優先サービスオプションを移動局サービスオプション能力に対して検証して、移動局は基地局優先サービスオプションに従ったサービスが不可能であるとの結果が得られる工程において、さらに、
基地局に格納されている第二の基地局優先サービスオプションを検索する工程と、
基地局において、移動局は前記第二の基地局優先サービスオプションに従ったサービスが可能であるかを検証する工程と、
基地局から移動局へサービス接続メッセージを送信して、前記第二の基地局優先サービスオプションに従ったサービスを開始させる工程と、
基地局において、移動局からの、前記第二の基地局優先サービスオプションに従ったサービス接続が完了したことを示す応答メッセージを受信する工程と、その後、基地局と移動局とは、前記第二の基地局優先サービスオプションに従って互いに交信することと、からなる方法。
【請求項７】
少なくとも１個の無線通信チャネルを介して移動局と交信する基地局を備えた無線通信インフラストラクチャにおいて、サービスオプション割当てをトグリングするシステムであって、
呼設定中、インフラストラクチャによって移動局からのサービスオプション能力データを収集するデータ収集デバイスと、
基地局内に、少なくとも１個の基地局優先サービスオプションを格納する記憶装置と、
移動局によって要求された移動体優先サービスオプションに従って、基地局と移動局との間で確立された呼設定に応答して、受信した移動体優先サービスオプションを基地局優先サービスオプションと比較する、基地局内のサービスオプション比較デバイスと、
前記サービスオプション比較デバイス内のＦＡＬＳＥ、即ち同一でないとの結果の判定に応答して、基地局優先サービスオプションを移動局のサービスオプション能力と比較して、移動局が基地局優先サービスオプションに従ったサービスを行なうことが可能であることを検証する、基地局内の適合性試験デバイスとを備えるシステム。
【請求項８】
請求項７に記載のシステムであって、
前記適合性試験デバイスからの検証の受信に応答して、サービス接続メッセージを移動局へ送信して、基地局優先サービスオプションに従ったサービスを開始させる基地局内の接続メッセージデバイスと、
基地局優先サービスオプションに従ったサービス接続が完了したことを示す、サービス接続メッセージに応答する移動局からのメッセージを受信し、それにより、その後、基地局と移動局とは、基地局優先サービスオプションに従って互いに交信する、基地局内のメッセージ受信デバイスと、を備えるシステム。
【請求項９】
予め決定されたサービスオプション能力を有する移動局および基地局を備えた無線通信インフラストラクチャにおけるサービスオプション実行システムであって、
移動局のうちの１つに対して標準サービスオプションを使用して、予め決定された指標に基づく標準サービスオプションによって、その１つの移動局と１つの基地局との間で無線通信経路を確立して、標準サービスオプションに適合した最大数の基地局との通信経路を確立する、基地局のうちの１つにおける呼設定ソフトウエアと、
標準サービスオプションとは異なる予め決定された指標に基づいて、一度通信経路が確立されると最大のサービスパフォーマンスを提供して、移動局と基地局との間で最大のサービスパフォーマンスを提供する、１つの基地局における予め決定された優先サービスオプション（Ｐｒｅｆｅｒｒｅｄ   Ｓｅｒｖｉｃｅ   Ｏｐｔｉｏｎ）と、
移動局が前記優先サービスオプションを実行する能力を有するかを判定する、基地局内の比較データベースと、を備えるサービスオプション実行システム。
【請求項１０】
請求項９に記載のシステムであって、
適合性試験デバイスのために基地局内のソフトウエアに応答して移動局にサービス接続メッセージを送信し、基地局優先サービスに従ったサービスを開始させる接続メッセージと、
基地局内の前記データベースは、基地局優先サービスオプションに従ったサービス接続が完了したことを示す、サービス接続メッセージに応答する移動局からのメッセージを受信し、それにより、その後、基地局と移動局とは、基地局優先サービスオプションに従って互いに交信することと、を備えるシステム。
【発明の詳細な説明】
【０００１】
（発明の背景）
本発明は、移動通信における改良されたサービスに関し、より詳細には、基地局制御下にて行なわれる、基地局優先サービスオプション割当てを実行するための、サービスの変換に関する。
【０００２】
現在の無線通信システムでは、移動局および該移動局をサポートするインフラストラクチャ装置は、互いにネゴシエートして特定のサービス形態を提供することが可能である。このプロセスは一般に、サービスネゴシエーション手順と称される。このようなネゴシエーションは、例えば、移動局が、基地局または他のインフラストラクチャ装置によってサポートされていない特定のサービスを要求することがあるために必要である。サービスネゴシエーション手順を実行するために、そのサービスは、サービスオプションを割当てられて、インフラストラクチャ装置内にて複数の異なるトランスコーダが、異なるサービスオプションに関連付けられ得る。基地局と移動局の間で通信が確立されると、インフラストラクチャ装置内の一つのタイプのみのトランスコーダが、その特定の組み合わせに割当てられる。通信中に、移動局が異なるタイプのサービスを実行するよう要求する場合は、その要求に答えるために、新しいサービスネゴシエーション手順が実行される。
【０００３】
しかしながら、基地局または他のインフラストラクチャ装置が効率的に使用されていない場合には、商業的に大きな問題が生じる。例えば、遭遇し得る最大数の基地局によって対応される可能性がより大きい、より少ない数のサービスオプションを要求するように予めプログラミングされている移動局によって、効率が劣るサービスオプションが度々呼び出される。従って、このような手順を遂行するために、より効率的なサービスオプション手順および設備が必要である。移動通信システムの基地局に、呼設定後の向上された制御を提供することによって、呼が安定した／会話状況にある間、移動局の契約者を予め決定されている基地局優先サービスオプションへ移行させることが望ましい。
【０００４】
（好ましい実施態様の詳細な説明）
一般に、無線移動通信または携帯電話システムでは、電話機には、設定またはサービスオプションがプログラミングされている。電話機は、そのシステムに、高品質の呼接続および大容量の呼スループットを提供する観点からはあまり効率的でないが、異なるシステム間における使用範囲の広さの観点からは最も信頼性を有すると思われる、優先されるサービスオプションまたはデフォルトのサービスオプションを備えるであろう。この方式では、移動体（ｍｏｂｉｌｅ）優先オプションはおそらく最大数の基地局によって受信され、それにより携帯電話端末と基地局との間のサービスネゴシエーション手順の呼設定の遅延が最小にされる。一方、基地局は、その使用幅とは関係なく、強度や明瞭さ等の信号特性に影響を与え得るシステムインフラストラクチャまたは地域の地形および建造物の密度等の、サービスパフォーマンスに影響を与える局所的条件に関係する、様々な考慮または指標に基づいて優先されるサービスオプションを備えるであろう。
【０００５】
従って、電話機端末が基地局優先サービスオプションに適合するようプログラミングされていることが周知である場合、一度呼設定が確立されたら、顧客満足の観点からは、携帯電話端末のより標準的な優先サービスオプションよりも、基地局優先サービスオプションの方が所望されるであろう。呼設定のためには、説明したように、呼設定手順の遅延が最小となることから電話機端末優先サービスオプションがより望ましい。従って、説明する実施態様は、電話機端末において可能である場合に、基地局優先サービスオプションを実行して通話等の無線通信中のサービスパフォーマンスを最大にし、その一方、呼が為された時点において電話機端末サービスオプションを実行して、電話機とインフラストラクチャとの間の呼設定の遅延を最小にするシステムに関する。この方式によれば、本願のシステムは、呼設定ネゴシエーション手順中は、より標準的な電話機端末優先サービスオプションの使用幅の広さと、呼設定後は、基地局ユニット優先サービスオプションによって提供される高度化されたパフォーマンスとの、双方を利点を活用するものである。さらに、移動局の使用者に明らかである中断や遅延を生じることなく、効率的な呼設定および最大化されたサービスパフォーマンスが途切れることなく達成される。
【０００６】
ここで図を参照すると、まず図１において、無線移動通信システムは、概して符号１０で示される。このシステムは、有線交換機能を備えた移動交換局（Ｍｏｂｉｌｅ Ｓｗｉｔｃｈｉｎｇ Ｃｅｎｔｅｒ ）（ＭＳＣ）１４と結合した公衆電話交換網（ＰＳＴＮ１２）を備える。通信システム１０は、符号分割多元接続（Ｃｏｄｅ Ｄｉｖｉｓｉｏｎ Ｍｕｌｔｉｐｌｅ Ａｃｃｅｓｓ） （ＣＤＭＡ）無線電話操作をサポートしていることが好ましいが、本発明には時分割多元接続（Ｔｉｍｅ Ｄｉｖｉｓｉｏｎ Ｍｕｌｔｉｐｌｅ Ａｃｃｅｓｓ）（ ＴＤＭＡ）等、他のタイプの操作が使用されてもよい。
【０００７】
システムコントローラ２０は、トランスコーダ交換中に同期を行う機器を備える。網間接続ユニット（Ｉｎｔｅｒｗｏｒｋｉｎｇ Ｕｎｉｔ ）（ＩＷＵ）２２は、通信システム１０のサービス範囲内で移動する移動局２６へのおよび移動局２６からのデータの通信を取り扱う。コントローラ２０は情報処理も提供し、本願にて基地局３０， ３２で示される複数の基地局の間の信号のルーティングを取り扱い、基地局の間の信号の強度に基づいた移動局２６との通信を担当する。基地局３０，３２の各々は、情報プロセッサ（ＭＰ３１）、記憶装置３３、およびデータベース（ｄＢ３５）を備える。携帯電話オペレータ交換台３４は、基地局３０，３２と結合した機構を提供する。合わせて、移動交換局１４、システムコントローラ２０、基地局３０，３２、および網間接続ユニット２２は、通信システム１０のインフラストラクチャ装置部分を構成する。本願で説明するインフラストラクチャの構成要素の様々な機能は、図１に図示する個別の機能とは異なるように組み合わせまたは再割当てされ得ることが容易に理解し得るであろう。例えば、基地局がシステムコントローラの機能の特定部分を備えることも可能であり、このようなことは本願から想定され得る。
【０００８】
説明する実施態様の制御下のシステムオプションの一例として、移動局２６は、様々な通信システム間で幅広くサポートされ、かつ基地局の近隣にて呼が設定された場合にはいつでも素早く受信され得る１３Ｋ音声サービスオプションを要求するよう、予めプログラミングされ得る。移動局２６内に塔載される装備は、通常、８Ｋの高度化された変動速度符号化（Ｅｎｈａｎｃｅｄ  Ｖａｒｉａｂｌｅ Ｒａｔｅ Ｃｏｄｉｎｇ） （ＥＶＲＣ）操作等の、それ程広範に許容されるわけではないが、より効率的である他のサービスオプションを収容するよう構成されている。一般に、移動局は、それ程広範に許容されないサービスオプションを要求するようにはプログラミングされていない。その理由は、例えば、呼設定の遅延を招き、ある状況下では基地局との通信が切断される可能性を増加させるサービスネゴシエーションの延長が所望されないためである。
【０００９】
図２は、基地局３０，３２と移動局２６との間において、記憶装置３３から情報プロセッサ３１と共に作動し得るソフトウエア内で実行される信号レイヤを示す。呼設定ソフトウエアは、図２に示す２個の同等の信号レイヤ４０，４２を備える。信号レイヤ４０は基地局３０，３２と関連し、信号レイヤ４２は移動局２６と関連している。図２に概略的に示すように、レイヤ（Ｌ１）は、移動体と固定装置との間の無線リンク専用のエア−インターフェイスシグナリングを担当する。基地局３０，３２にアクセス可能であるデータベース３５は、移動局２６への接続メッセージを伝える能力を備える。無線リンクに関連するメッセージは、例えば、レイヤＬ１と関連する。レイヤＬ２は、移動局と固定局との間で同期および肯定応答を行うために備えられる。レイヤＬ３は、呼設定の実行に関連するメッセージングを備え、レイヤＬ４はトグリングおよび移動局のサービスオプション作動モードの再構成に関連する。レイヤＬ４は、呼設定が完了した後、即ち安定した会話状況中に、サービスオプションの変更を行うレイヤである。所望であれば、レイヤＬ３， Ｌ４を組み合わせて、単一のデータチャネルを操作してもよい。図２に示すレイヤは、通信システムに収容される様々な呼のタイプ（例、声、データ、ファックス）に適用することが理解されるであろう。
【００１０】
本願に説明する原理によれば、一旦移動局２６と基地局３０または基地局３２との間でサービスがネゴシエートされると、基地局３０または基地局３２は作動を開始して、移動局を１個のサービスオプションから、効率性を理由として基地局オペレータによって優先される他のサービスオプションへと移行させる。従って、呼は、呼が安定した／会話状況に到達した後、当初要求されたサービスオプションから優先される（即ち、基地局オペレータによって優先される）サービスオプションへと、利用者の介在を必要とせずに、かつ購買者が認知し得る支障をきたすことなくトグルされ得る。
【００１１】
図３および図４を参照して、呼設定が確立された後の、基地局と移動局との間のトグリングサービスオプション割当ての好ましい方法を示す。図３は、メッセージ図表であり、図４は関連する作動ステップを示すフロー図である。概略すると、移動局２６は、本願で移動体優先サービスオプション（Ｍｏｂｉｌｅ Ｐｒｅｆｅｒｒｅｄ Ｓｅｒｖｉｃｅ Ｏｐｔｉｏｎ）（ＭＰＳＯ）と称する、移動局優先のサービスオプションを要求し得、呼を迅速に確立するために、従来の、妨害のない手法にて、呼設定および要求されるサービスネゴシエーションを遂行する。呼設定が確立された後、基地局３０または基地局３２は、サービスオプションのトグリングを開始して、予め定義された基地局優先サービスオプション（Ｂａｓｅ Ｓｔａｔｉｏｎ Ｐｒｅｆｅｒｒｅｄ Ｓｅｒｖｉｃｅ Ｏｐｔｉｏｎ）（ＢＳＰＳＯ）に従った作動を達成する。説明する実施態様では、従来の、以前に確立されたサービス・コンフィギュレーション・トグル手順（Ｓｅｒｖｉｃｅ   Ｃｏｎｆｉｇｕｒａｔｉｏｎ   Ｔｏｇｇｌｅ  ｐｒｏｃｅｄｕｒｅｓ）を利用して、移動局を基地局優先サービスオプションへ導くことが好ましい。
【００１２】
図４を参照して、ステップ１０２において、移動局２６はインフラストラクチャからサービスオプションを要求する。通常、要求されるサービスオプションは、製造時または起動時に移動局内に予め定義されている。説明したように、移動局２６によって要求されたサービスオプションは、通常、移動局の使用範囲内で遭遇し得る最大数の基地局によって最も広範に受信され得るように選択される。指摘したように、このサービスオプションは、作動全体にとって最も効率的ではあり得ず、顧客に最大の、または最も信頼性のおけるサービスを提供し得ない。地域インフラストラクチャのオペレータは、地域状況を認識しており、通常その作動範囲におけるサービスパフォーマンスを調査している。この情報、およびインフラストラクチャ内にて入手可能な様々なサービスオプションの認識に基づき、システムオペレータは、本願で基地局優先サービスオプション（ＢＳＰＳＯ）と称する、１個以上の基地局によって優先されるサービスオプションを定義する。
【００１３】
ブロック１０４では、サービスオプションの要求は基地局によって受信され、従来の方法によって処理されて、移動体優先サービスオプションの選択と競合しないＭＰＳＯの呼設定を開始する。呼設定の手順は、ＩＳ−９５：サービスネゴシエーションデータの受信を含む従来の方法によってブロック１０６において遂行される。本願では、本発明の実行にＩＳ−９５標準を参照するが、最近のＩＳ−２０００標準など他の標準もまた使用し得ることが認識されよう。移動局と基地局（および関連するインフラストラクチャ）との間の呼設定の完了は、本発明の一態様によれば、従来の方法によって可能な限り迅速に遂行される。図３および図４を参照して、図３の符号６０および図４のステップ１０６以降に示すように、呼設定が完了した後、呼が安定した／会話状況にある間に、サービスオプション割当てのトグリングを開始する。
【００１４】
呼設定が確立された後、インフラストラクチャはＭＰＳＯを基地局優先サービスオプションと比較する。説明する実施態様は、サービストグリング手順が、実質的にインフラストラクチャ内の任意の時点で遂行可能であることを想定している。図１に示すインフラストラクチャのブロック図は、説明したように簡略化されており、ある程度までは、様々な機能を図示されている様々なブロックへ任意に関連づけることが可能である。本願に記述されるインフラストラクチャの機能は説明を目的として提供されており、ブロック図内で識別され得るように、機能は、様々な実用システムにおいて様々な構成要素内に分散され得る。
【００１５】
好ましい実施態様から想定されるように、１個以上のＢＳＰＳＯが基地局内の記憶装置に格納される。この操作は、基地局内に配置された装置の直接的介入によって達成され得るか、あるいはまた、例えばシステムコントローラ２０等、インフラストラクチャの他の部分によって基地局へ伝送され得る。より精密なシステムにおいては、サービスオプショントグリングを目的として、ＢＳＰＳＯの階層的テーブルが格納される。図４のブロック１０８を参照して、呼設定を担当する基地局は、基地局が格納するＢＳＰＳＯの参照テーブルとＭＰＳＯとを比較する。万一、一致が発見された場合には、さらなる介入は必要でなく、（例えば、顧客の要求に応答するか、またはサービスオプションの変更が要求される、可能性のある誤り状況修正のために必要とされない限りは）さらなるサービスオプショントグリングステップは行なわれない。
【００１６】
ブロック１１０を参照して、ＭＰＳＯとＢＳＰＳＯとの間で一致が発見されないといった、より想定され得る場合には、基地局３０，３２は、呼び出されるべきＢＳＰＳＯを選択する。より複雑なシステムでは、基地局３０，３２は、必要に応じて格納されたＢＳＰＳＯの階層リストを経由する。呼設定と関連する以前の作動過程を有さないステップ１１０では、最も優先されるＢＳＰＳＯが基地局によって選択され、その後制御はブロック１１２へ進む。呼設定中、ＩＳ−９５サービスネゴシエーションデータが収集され、このデータ中には、従来ＩＳ−９５標準に従って入手可能であるデータである、移動局のサービスオプション能力が含まれる。説明する実施態様が、ＩＳ−９５標準に従ったものでないサービスオペレーションに使用される場合は、基地局は移動局から移動局のサービスオプション能力を得ることが必要である。
【００１７】
ブロック１１４では、基地局は、基地局の最初の選択であるＢＳＰＳＯを移動体サービスオプション能力と比較して、現在選択されたＢＳＰＳＯを移動局が収容可能であるかを検証する。比較が失敗した場合、下記に示すように、その後制御は図５へ移動する。
【００１８】
図４のステップ１１６に移ると、基地局は、現在選択されたＢＳＰＳＯを移動局が実行可能であることを検証し、サービスオプションをトグルするステップが採られる。図３のメッセージ６４およびブロック１１６に示すように、基地局はＩＳ−９５：サービス接続メッセージを移動局へ送信し、ＭＰＳＯからＢＳＰＳＯへサービストグルを開始する。本発明の一態様によれば、呼のタイプ（例、ファックス、モデム、または音声）は、サービスオプショントグリング手順の間、移動局によって最初に要求された呼のタイプと同一に保持される。図４のブロック１１８および図３のメッセージ６８において、移動局は、基地局によって選択されたＢＳＰＳＯに関するＩＳ−９５：サービス接続メッセージを受信して、従来の方法を用いて、要求されたサービスオプションとの適合性を確認する。好ましい実施態様では、応答するＩＳ−９５：サービス接続完了メッセージが基地局へ送信される。その後基地局は、移動交換局１４等のインフラストラクチャの他の部分に、トグルされたサービス接続が完了したことを警告する。本実施例では、呼設定を担当するシステムコントローラ２０は、従来のＡ：割当て完了メッセージを移動交換局１４へ送信する。これを図４のブロック１２０および図３のメッセージ１２２に示す。
【００１９】
図５を参照して、ＢＳＰＳＯと移動局のサービスオプション能力との比較は、失敗してＦＡＬＳＥの比較結果を生じる可能性がある。ＢＳＰＳＯは、多数の移動局に対応するよう定義されているが、移動局要求サービスは、インフラストラクチャのオペレータまたはシステム作動の監督責任を有する他の者によって定義されるような、最高の、または最も優先されるサービスオプションを収容できない可能性がある。このような理由から、１個よりも多いＢＳＰＳＯが識別されて基地局に格納されることが好ましい。局オペレータによって優先される順序に従って、複数のＢＳＰＳＯが階層テーブルに構成されることがさらに好ましい。
【００２０】
制御がブロック１３０へ移動すると、基地局は、基地局のＢＳＰＳＯリストを経由して、二番目に最も優先されるＢＳＰＳＯを選択する。この新しい、現在選択されたより低レベルのＢＳＰＳＯは、移動局にサポートされたサービスオプションと比較されて、現在選択されたＢＳＰＳＯを移動局２６が収容可能であるか検証する。比較結果がＦＡＬＳＥである場合、その後基地局３０，３２が受容可能なＢＳＰＳＯが識別されるまでＢＳＰＳＯの階層リストを経由するというブロック１３０内に示す手順が繰り返される。
【００２１】
移動局によって受容され得るＢＳＰＳＯが識別されると、制御はブロック１３２へ移動して、ブロック１１６に関して上述したものと同様の手順が遂行される。ブロック１３４，１３６は、ＢＳＰＳＯが基地局のデータベース内に格納された階層リストの、より低い位置から取り出されたことを除けば、図４参照の上述のブロック１１８，１２０と同一である。
【００２２】
上述したように、ＢＳＰＳＯの階層リストは、ソフトウエア制御の元で、システムコントローラ２０（または、インフラストラクチャの他の部分）から基地局３０，３２へ伝送され得る。図５に示す作動の発生は、分析のためシステムコントローラ２０へ送信されて、必要であれば新しいＢＳＰＳＯの階層リストが定義されて、システムコントローラによって選択された様々な基地局へと伝送され得る。この方式では、システムコントローラは、新しいＢＳＰＳＯテーブルによって作動を開始するよう基地局に再指示し得、この手順は、所望であれば人であるオペレータが介入する必要なしにソフトウエア内で実行され得る。
【００２３】
例として、他の管理機能が同様の方法にて遂行され得る。例えば、ある基地局のＢＳＰＳＯ階層は、異なる大気条件に対応するために、一日の時間中に変更され得る。本発明の原理に基づく呼のトグリング手順は、システムオペレーション全体の効率の向上および顧客の満足度の向上など、多数の利点を提供する非常に柔軟性の高いシステムオペレーションを提供し得る。
【００２４】
本発明は、呼設定の確立後、基地局と移動局との間でサービスオプション割当てをトグリングする方法であって、ここで移動局は、ＭＰＳＯを設定するようインフラストラクチャに要求する方法を提供することが理解されよう。システム内、好ましくは基地局内に、少なくとも１個のＢＳＰＳＯが格納される。ＭＰＳＯはＢＳＰＳＯと比較され、この比較は基地局の一つにおいて遂行されることが好ましい。ＦＡＬＳＥ、即ち同一でない（ｎｏｎ−ｉｄｅｎｔｉｃａｌ ）との結果が判定されると、呼が安定した／会話状況にある間、いくつかのステップが実行される。例えば、基地局にて比較が行なわれ、移動局はＢＳＰＳＯに従ったサービスが可能であることを確認する。正の結果を仮定すると、基地局から送信されたサービス接続メッセージは、ＢＳＰＳＯに従ったサービス接続が完了したことを示す移動局からのメッセージによって応答される。その後、基地局と移動局とは、ＢＳＰＳＯを実行するサービスオプション割当てのトグリングに従って交信する。さらなる任意のステップとして、基地局はインフラストラクチャの残りの部分に、サービスオプション割当てのトグリングを通知する。トグル手順の間、同じ呼のタイプ（例、声、ファックス、データ）が保持される。データの比較が、移動局はＢＳＰＳＯに従ったサービスが不可能であることを示す場合は、第二のＢＳＰＳＯが基地局内の格納から検索されて、上述したトグリングのステップが現在選択されたＢＳＰＳＯに対して遂行される。
【００２５】
本発明は、基地局と移動局との間で確立された呼設定に応答して、基地局と移動局との間でサービスオプション割当てをトグリングするシステムであって、ここで移動局はＭＰＳＯを要求するシステムを提供する。本システムは、呼設定の間、インフラストラクチャによって、移動局からのサービスオプション能力データを収集するためのデータ収集デバイスを備える。好ましくは基地局内に、少なくとも１個のＢＳＰＳＯを格納する記憶装置が備えられる。好ましくは基地局に位置するサービスオプション比較デバイスは、ＭＰＳＯをＢＳＰＳＯと比較する。サービスオプション比較デバイス内でＦＡＬＳＥ、即ち同一でない結果が出力されると、適合性試験デバイスがＢＳＰＳＯを移動局サービスオプション能力と比較して、移動局はＢＳＰＳＯに従ったサービスが可能であるかを検証する。結果が正であることを想定すると、好ましくは基地局に位置する接続メッセージデバイスは、移動局にサービス接続メッセージを送信して、ＢＳＰＳＯに従ったサービスを開始させる。同様に基地局に位置することが好ましいメッセージ受信デバイスは、ＢＳＰＳＯに従ったサービス接続が完了したことを示す、移動局からのメッセージ受信を待機する。その後、システムの基地局と移動局とは、呼び出されたＢＳＰＳＯに従って互いに交信する。基地局内に任意に備えられる伝送装置は、サービス割当てのトグリングが完了したとの通知をインフラストラクチャの残りの部分へ伝送する。トグリングの手順中、同じ呼のタイプ（例、音声、ファックス、またはデータ）が保持される。比較の結果、移動局は第一選択ＢＳＰＳＯに従ったサービスが不可能であると示される場合は、好ましくは基地局に位置する検索デバイスが、上述した方法によってシステムに供給された第二ＢＳＰＳＯを検索して、現在選択されたＢＳＰＳＯを処理する。
【００２６】
本発明によって、呼設定に関連した問題点、および呼の間自体に関連した問題点が回避され、顧客には、顧客に明白である内部の手順を介した最大のパフォーマンスが保証される。
【００２７】
前述にて説明した実施態様が上記に開示されているが、当業者は、説明した本発明は、説明した実施態様を越える応用を有すること理解するであろう。従って、予期されるそのような代替、改良、および変更を含む本発明の範囲は、添付の特許請求の範囲によって定義されるものとする。
【図面の簡単な説明】
【図１】本発明の原理による通信システムの概略図。
【図２】図１の通信システムの、基地局と移動局との間で実行される信号レイヤを示す概略図。
【図３】呼設定後にサービス効率を向上させるために交換されるメッセージを示す図。
【図４】基地局と移動局との間で向上されたサービスを達成するために採択されるステップを示す概略図。
【図５】基地局と移動局との間で向上されたサービスを達成するために採択されるステップを示す概略図。
【図１】
2005504447.tif 000003
【図２】
2005504447.tif 000004
【図３】
2005504447.tif 000005
【図４】
2005504447.tif 000006
【図５】
2005504447.tif 000007
【国際公開パンフレット】
2005504447.tif 000008
2005504447.tif 000009
2005504447.tif 000010
2005504447.tif 000011
2005504447.tif 000012
2005504447.tif 000013
2005504447.tif 000014
2005504447.tif 000015
2005504447.tif 000016
2005504447.tif 000017
2005504447.tif 000018
2005504447.tif 000019
2005504447.tif 000020
2005504447.tif 000021
2005504447.tif 000022
2005504447.tif 000023
2005504447.tif 000024
2005504447.tif 000025
2005504447.tif 000026
【国際公開パンフレット（コレクトバージョン）】
2005504447.tif 000027
【国際調査報告】
2005504447.tif 000028
2005504447.tif 000029